(57)【特許請求の範囲】
【請求項１】
スロット型光ファイバケーブルの端末処理構造であって、
前記スロット型光ファイバケーブルのスロットロッドの溝により形成された凸部を除去して細身のロッドを形成し、前記スロット型光ファイバケーブルから導出された光ファイバ心線を、前記溝に挿入されている光ファイバ心線毎に複数本まとめてパイプに挿入し、更に前記細身のロッドの外周に貼りつけた両面粘着テープに、前記パイプを貼りつけた後、前記ロッドの外周面に沿って前記パイプを固定するように、テープを巻回してなることを特徴とする光ファイバケーブルの端末処理構造。
【発明の詳細な説明】
【０００１】
【発明の属する技術分野】
本発明は、スロット型光ファイバケーブルの端末処理構造に関する。
【０００２】
【従来の技術】
スロット型光ファイバケーブルの端末から導出されるケーブル心線の処理構造としては、例えば図４に示す構成のものが採用されている。
【０００３】
図５はスロット型光ファイバケーブルの一般的な内部構成を示す図であり、図６は図４におけるケースの内部構成を示す側断面図である。
【０００４】
先ず、図５に基づいて光ファイバケーブル１０１の内部構成を説明する。なお、実際の光ファイバケーブルを構成するテープ心線は２５０本であり、スロット溝は１３本であるが、図５では模式化してスロット溝を６本で示している。
【０００５】
図５に示すように、光ファイバケーブル１０１は、ポリエチレン等からなる丸棒状のスロットロッド１０２と、該スロットロッド１０２の中心に挿通されたテンションメンバ１０３と、前記スロットロッド１０２の長手方向に形成された複数条のＳＺスロット溝１０４と、該ＳＺスロット溝１０４内にそれぞれ収容された光ファイバ心線１０５と、前記スロットロッド１０２の周囲に不織布テープが巻回された押え巻き層１０６と、最外層のＰＶＣシース１０７とにより構成されている。
【０００６】
次に、図４に基づいて成端Ｋの構成を説明する。図４に示すように、光ファイバケーブル１０１の先端側の約５ｍのＰＶＣシース１０７と押え巻き層１０６とが剥がされ、スロットロッド１０２が根元近傍で切断されている。そして、前述のＰＶＣシース１０７等が剥がされた部分には、図６に示す長さ約４０ｃｍの硬質ポリ塩化ビニル製のケース１１１が被せられ、該ケース１１１と光ファイバケーブル１０１の接続部分には収縮チューブ１１２が被せられている。ケース１１１の内部はバラバラにされた２５０本の光ファイバ心線１０５に心線を保護する補強チューブ１１３が被せられている。テンションメンバ１０３の先端部は固定板１１４にナットで固定され、また、テンションメンバ１０３にはボンド線１１５が接続されて外部に引き出されている。１０５は光ファイバ心線であり、１１６はスペーサであり、１１７はポリウレタン樹脂を流し込んだ充填樹脂である。
【０００７】
また、図４において、補強チューブ１１３が被せられた光ファイバ心線１０５は２５０本であり、光ファイバ心線１０５の先端部側はコード引留部１２１を介してＭＴコネクタ１２２が接続されている。
【０００８】
【発明が解決しようとする課題】
しかしながら、前記図４乃至図６からも明らかな通り、コネクタ付ケーブル端末はテープ心線（光ファイバ心線）の各々を補強チューブに通してコード化しており、ケーブルの端末部はたいへん重く、かさばり、補強チューブの長さは５〜６ｍもあり、占有する体積も極めて大きかった。
【０００９】
また、補強チューブ１１３の一方の端を固定するために、光ファイバケーブルの端末部においてケーブルのテンションメンバを延長した金属棒（テンションメンバークランプ）に補強チューブ１本１本について補強チューブ内の抗張力繊維を縛りつけていた。
【００１０】
更に、ケースは長さが３００〜４００ｍｍ、その径はケーブル径の３〜６倍と大きく、ポリウレタン樹脂が中に入るため、たいへん重い物でもあった。
【００１１】
以上のように従来の光ファイバケーブル成端は多種の複雑な構造を有していたために、その加工には多大な労力と多くの時間を必要としており、作業性の向上が求められていた。
【００１２】
そこで、本発明の目的は、光ファイバケーブル成端の加工が簡単に行え、寸法が小型であり、重量・体積の少ない光ファイバケーブルの端末処理構造を提供することである。
【００１３】
【課題を解決するための手段】
上記課題を解決するために、請求項１記載の発明は、スロット型光ファイバケーブルの端末処理構造であって、前記スロット型光ファイバケーブルのスロットロッドの溝により形成された凸部を除去して細身のロッドを形成し、前記スロット型光ファイバケーブルから導出された光ファイバ心線を、前記溝に挿入されている光ファイバ心線毎に複数本まとめてパイプに挿入し、更に前記細身のロッドの外周に貼りつけた両面粘着テープに、前記パイプを貼りつけた後、前記ロッドの外周面に沿って前記パイプを固定するように、テープを巻回してなることを特徴とする。
【００１４】
請求項１記載の発明によれば、図１（Ａ），（Ｂ），（Ｃ）に示すように、スロットロッド１０２が削られて、細身のロッド１が形成される。このロッド１に、溝に挿入されている光ファイバ心線毎に複数本の光ファイバ心線１０５がまとめて挿通されたパイプ２を例えば両面粘着テープで一時的に固定し、その外周部をＰＶＣテープで巻いて本格的に固定する。このようにすれば、図２に示すように、接続部の太さは最大５０ｍｍで幅が約２００ｍｍとなり、太さおよび幅のいずれも従来の接続部の半分となる。
【００１５】
【発明の実施の形態】
以下、本発明を図示の実施形態例に基づいて説明する。なお、既に説明した部分には同一符号を付し、重複記載を省略する。
【００１６】
（１）第１実施形態例
図１（Ａ），（Ｂ），（Ｃ）は成端の処理過程を示す図である。
先ず、図１（Ａ）に示すように、ＰＶＣシース１０７および押え巻き層１０６を約５ｍ剥ぎ取り、スロットロッド１０２は露呈部を約１０ｃｍ残して先端側は切断する。
【００１７】
次いで、図１（Ｂ）に示すように、スロットロッド１０２に形成された溝１０４の部分（凹凸の凸部分）を削り取り、一回り細い平滑な表面を有するロッド１を形成する。次に、溝１０４に挿入されている光ファイバ心線１０５毎に、例えば、単スロット１０００心のＷＢＡケーブルでは８心テープ１０枚をまとめて、柔軟性のある樹脂性のスパイラルチューブを巻き付けるようにしてパイプ（スパイラルチューブ）２に通す（なお、図１では煩雑となるので、１本のみにパイプを挿通して示す）。更に、前述のようにして形成したロッド１の部分に両面粘着テープを巻きつけ、その両面粘着テープ上に光ファイバ心線１０５が挿通されたパイプ２を略均等に貼りつけてまとめる。
【００１８】
次いで、図１（Ｃ）に示すように、前述のようにして両面粘着テープに貼り付けたパイプ２の上からＰＶＣテープ３を何重にも巻いて光ファイバ心線１０５が挿通されたパイプ２を、ロッド１に固定する。
【００１９】
以上のような過程を経て、図２に示すように、成端の接続部が完成する。
この図２から明らかなように、接続部の太さは最大５０ｍｍなので従来（図６参照）の約半分であり、接続部の幅は約２００ｍｍなので従来の約半分である。従って、従来に比較して重量および体積が少なく、作業性が良好になる。
【００２０】
図３は、以上のようにして作成した成端の全体構成図である。
この図からも明らかなように成端が従来に比較し、小形化されている。なお、４は光ファイバ心線を識別するためにケーブルのスロット溝の番号と同じ番号の識別用ナンバシールである。
【００２１】
以上のように、本実施形態例のケーブル端末部の構造（ケーブルの端末処理構造）は極めて簡易であり、ケーブル端末部の重量は大幅に軽減される。また、加工も容易である上、部品をほとんど使わないため、端末部を極めて安く作ることができる。
【００２２】
スパイラルチューブに光ファイバ心線をケーブルのスロットの溝毎に光ファイバ心線を通すので、心線の識別が容易である。
【００２３】
スパイラルチューブは柔軟な樹脂製なので、光ファイバ心線が曲がることを妨げず、また確実に心線を保護する。
【００２４】
山を取り去ったスロット部にスパイラルチューブを貼りつけることで、スパイラルチューブを小さくまとめることができる。
【００２５】
従来は図４に示すように、１本毎の光ファイバ心線１０５に補強チューブ１１３が被せられていたので成端の容積が膨大なものになっていたが、本実施形態例によれば光ファイバ心線を数本まとめてパイプに収容しているので、成端の容積を極端に減少させることができる。
【００２６】
なお、本実施形態例ではコネクタ付光ファイバケーブルの場合について説明したが、コネクタ付非牽引ケーブル端末やクロージャ内の成端にも適用可能である。この際のスパイラルチューブの長さは、光ファイバ心線の識別のためだけで良いから５０〜７０ｍｍもあれば良い。
【００２７】
【発明の効果】
以上説明したように本発明によれば、スロット型光ファイバケーブルのスロットロッドの溝により形成された凸部を除去して細身のロッドを形成し、前記スロット型光ファイバケーブルから導出された光ファイバ心線を、前記溝に挿入されている光ファイバ心線毎に複数本まとめてパイプに挿入し、更に前記細身のロッドの外周に貼りつけた両面粘着テープに、前記パイプを貼りつけた後、前記ロッドの外周面に沿って前記パイプを固定するように、テープを巻回している端末処理を行っているので、処理部の太さおよびその幅を従来に比較し約半分に構成することができる。
【図面の簡単な説明】
【図１】本発明の実施形態例における制作過程を示す図である。
【図２】同実施形態例の接続部の完成状態を示す要部拡大図である。
【図３】同実施形態例の全体構成の完成状態を示す図である。
【図４】従来の成端の全体構成を示す図である。
【図５】従来の光ファイバケーブルの内部構成を示す模式図である。
【図６】従来の成端のケース内の構造を示す側断面図である。
【符号の説明】
１  細身のロッド
２  パイプ
３  ＰＶＣテープ
４  識別用ナンバケーブル
１０１  光ファイバケーブル
１０２  スロットロッド
１０４  スロットロッドの溝
１０５  光ファイバ心線
１０６  押え巻き層
１０７  ＰＶＣシース
１１１  ケース
１１２  収縮チューブ
【図１】
0003616172.tif 000002
【図２】
0003616172.tif 000003
【図３】
0003616172.tif 000004
【図４】
0003616172.tif 000005
【図５】
0003616172.tif 000006
【図６】
0003616172.tif 000007